(57)【要約】【課題】開閉動作を行い易くすることができる原稿読取装置及び画像形成装置を提供する。【解決手段】原稿読取装置１６は、原稿読取装置本体１０２と、原稿読取装置本体１０２に対して一端が回転できるように構成され、他端が開閉自在に設けられた開閉体１０４と、を有し、開閉体１０４の他端に設けられており、開閉体１０４の断面であり、開閉体の回転軸方向に対して垂直な断面において、開閉体１０４の厚み方向の上端および下端に向かって、窪みの深さが浅くなるよう傾斜して窪んだ窪み部１０６ａを有し、更に傾斜は前記窪み部の端部まで続いている取っ手部１０６を有する。【選択図】図９
2015065667.tif 000002
【特許請求の範囲】
【請求項１】
原稿読取装置本体と、
前記原稿読取装置本体に対して一端が回転できるように構成され、他端が開閉自在に設けられた開閉体と、を有し、
前記開閉体の前記他端に設けられており、前記開閉体の断面であり、前記開閉体の回転軸方向に対して垂直な断面において、前記開閉体の厚み方向の上端および下端に向かって、窪みの深さが浅くなるよう傾斜して窪んだ窪み部を有し、更に前記傾斜は前記窪み部の端部まで続いている取っ手部を有する原稿読取装置。
【請求項２】
前記窪み部の上端に向かう傾斜および下端に向かう傾斜は、前記窪み部の深さが最も深いところから前記窪み部の端部まで続いていることを特徴とする請求項１に記載の原稿読取装置。
【請求項３】
原稿読取装置本体と、
前記原稿読取装置本体に対して一端が回転できるように構成され、他端が開閉自在に設けられた開閉体と、を有し、
前記開閉体の前記他端に設けられており、前記開閉体の断面であり、前記開閉体の回転軸方向に対して垂直な断面において、前記開閉体の厚み方向の上端および下端に向かって、窪みの深さが浅くなるよう傾斜して窪んだ窪み部を有する取っ手であって、前記上端および下端は、前記開閉体を閉じた状態での前記開閉体の水平方向の断面において、曲線状になっている取っ手部を有する原稿読取装置。
【請求項４】
原稿読取装置本体と、
前記原稿読取装置本体に対して一端が回転できるように構成され、他端が開閉自在に設けられた開閉体と、を有し、
前記開閉体の前記他端に設けられており、前記開閉体の断面であり、前記開閉体の回転軸方向に対して垂直な断面において、前記開閉体の厚み方向の上端および下端に向かって、窪みの深さが浅くなるよう傾斜して窪んだ窪み部を有する取っ手であって、前記上端の前記取っ手の長手方向における長さと、前記下端の前記取っ手の長手方向における長さが同一である取っ手部を有する原稿読取装置。
【発明の詳細な説明】
【技術分野】
【０００１】
本発明は、原稿読取装置及び画像形成装置に関する。
【背景技術】
【０００２】
特許文献１には、原稿読取手段と画像形成手段とを備えた画像形成装置の本体装置と、原稿読取手段の原稿載置面に対して開閉可能な自動原稿送り装置を備えた画像形成装置において、自動原稿送り装置の外装部材に、自動原稿送り装置を開閉するための把手を、異なる高さで、複数か所に設けた画像形成装置が開示されている。
【０００３】
特許文献２には、画像読み取り装置と、画像読み取り装置の本体上面後端部に固定されたヒンジを介して上下方向に開閉される自動原稿送り装置とを備える画像形成装置において、自動原稿送り装置右側面にパイプ曲げ部材で構成された開閉補助把手を配置することを特徴とするＡＤＦ開閉上把手を有する電子写真複写機が開示されている。
【先行技術文献】
【特許文献】
【０００４】
【特許文献１】特開２００６−０５０４７３号公報
【特許文献２】特開２００６−１６２７４４号公報
【発明の概要】
【発明が解決しようとする課題】
【０００５】
本発明は、開閉動作を行い易くすることができる原稿読取装置及び画像形成装置を提供することを目的とする。
【課題を解決するための手段】
【０００６】
請求項１に係る本発明は、原稿読取装置本体と、前記原稿読取装置本体に対して一端が回転できるように構成され、他端が開閉自在に設けられた開閉体と、を有し、前記開閉体の前記他端に設けられており、前記開閉体の断面であり、前記開閉体の回転軸方向に対して垂直な断面において、前記開閉体の厚み方向の上端および下端に向かって、窪みの深さが浅くなるよう傾斜して窪んだ窪み部を有し、更に前記傾斜は前記窪み部の端部まで続いている取っ手部を有する原稿読取装置である。
【０００７】
また、請求項２に係る本発明は、前記窪み部の上端に向かう傾斜および下端に向かう傾斜は、前記窪み部の深さが最も深いところから前記窪み部の端部まで続いていることを特徴とする請求項１に記載の原稿読取装置である。
【０００８】
請求項３に係る本発明は、原稿読取装置本体と、前記原稿読取装置本体に対して一端が回転できるように構成され、他端が開閉自在に設けられた開閉体と、を有し、前記開閉体の前記他端に設けられており、前記開閉体の断面であり、前記開閉体の回転軸方向に対して垂直な断面において、前記開閉体の厚み方向の上端および下端に向かって、窪みの深さが浅くなるよう傾斜して窪んだ窪み部を有する取っ手であって、前記上端および下端は、前記開閉体を閉じた状態での前記開閉体の水平方向の断面において、曲線状になっている取っ手部を有する原稿読取装置である。
【０００９】
請求項４に係る本発明は、原稿読取装置本体と、前記原稿読取装置本体に対して一端が回転できるように構成され、他端が開閉自在に設けられた開閉体と、を有し、前記開閉体の前記他端に設けられており、前記開閉体の断面であり、前記開閉体の回転軸方向に対して垂直な断面において、前記開閉体の厚み方向の上端および下端に向かって、窪みの深さが浅くなるよう傾斜して窪んだ窪み部を有する取っ手であって、前記上端の前記取っ手の長手方向における長さと、前記下端の前記取っ手の長手方向における長さが同一である取っ手部を有する原稿読取装置である。
【発明の効果】
【００１０】
請求項１および２に係る本発明によれば、本構成を有さない場合と比較して、操作者の指等と接触し易くすることができる。
【００１１】
請求項３に係る本発明によれば、本構成を有さない場合と比較して、操作者の指等と接する範囲を増大することができる。
【００１２】
請求項４に係る本発明によれば、本構成を有さない場合と比較して、操作者の指等と接する範囲を増大することができる。
【図面の簡単な説明】
【００１３】
【図１】本発明の実施形態に係る画像形成装置を示す斜視図である。
【図２】本発明の実施形態に係る画像形成装置を側面から示す断面図である。
【図３】本発明の実施形態に係る原稿読取装置の断面図である。
【図４】本発明の実施形態に係る原稿搬送装置が開かれた状態の画像形成装置の斜視図である。
【図５】本発明の実施形態に係る原稿搬送装置を開いた状態において、画像形成装置１０を上方から見た図である。
【図６】本発明の実施形態に係る原稿搬送装置の原稿読取装置本体と接する側の面である。
【図７】本発明の実施形態に係る原稿搬送装置の長手方向に対しての各位置における取っ手部の側面断面図である。
【図８】本発明の実施形態に係る原稿搬送装置の厚み方向に対しての各位置における取っ手部の上面断面図
【図９】本発明の実施形態に係る取っ手部の作用について説明する説明図である。
【発明を実施するための形態】
【００１４】
本発明の実施形態について図面を参照して説明する。
図１は、本発明の一実施形態としての画像形成装置１０の斜視図を示す。図２は、画像形成装置１０の右側面からの断面図を示す。
【００１５】
画像形成装置１０は、画像形成装置本体１２と、画像が形成された記録媒体が排出される排出部１４と、原稿を読取る原稿読取装置１６と、画像形成装置１０を操作する操作部１８とを有する。
また、画像形成装置１０には、例えばパーソナルコンピュータ等の外部の装置から画像情報が入力される情報入力端子２０が設けられている。
【００１６】
画像形成装置１０は、原稿読取装置１６で読み取った画像情報、あるいは、情報入力端子２０から入力された画像情報に基づいて記録媒体に画像を形成する。
画像形成装置１０は、例えば電話回線に接続可能であり、この電話回線を介して入力された画像情報に基づいて記録媒体に画像を形成する。また、画像形成装置１０は、原稿読取装置１６で読み取った画像情報、あるいは、情報入力端子２０から入力されたデータを電話回線を介して送信する。
【００１７】
画像形成装置本体１２の前側の面には、給紙用開閉部３２が設けられている。給紙用開閉部３２は、ヒンジ３４を用いて画像形成装置本体１２に開閉自在に装着されている。図１は、給紙用開閉部３２が画像形成装置本体１２に対して開かれた状態を示し、図２は、給紙用開閉部３２が画像形成装置本体１２に対して閉じられた状態を示している。
また、画像形成装置本体１２には、画像が形成された記録媒体を排出するために用いられる排出孔３６が形成されている。
【００１８】
画像形成装置本体１２内には、像形成部４０と、給紙装置４２と、搬送路４４とが設けられている。
【００１９】
像形成部４０は、像保持体として用いられる感光体ドラム５２と、この感光体ドラム５２の表面を帯電する帯電装置５４と、この帯電装置５４によって帯電された感光体ドラム５２の表面に光を照射することで感光体ドラム５２の表面に潜像を形成する潜像形成装置５６と、この潜像形成装置５６によって感光体ドラム５２の表面に形成された潜像を現像剤を用いて現像する現像装置５８と、この現像装置５８による現像で感光体ドラム５２の表面に形成された現像剤像を記録媒体に転写する転写装置６０と、この転写装置６０による転写の後に感光体ドラム５２の表面に残留する現像剤を清掃する清掃装置６２と、転写装置６０によって記録媒体に転写された現像剤像を記録媒体に定着する定着装置６４とを有する。
【００２０】
給紙装置４２は、記録媒体を積層した状態で収納する例えば１つの記録媒体収納部７２と、この記録媒体収納部７２に収納された記録媒体を送り出す送出ロール７４とを有する。
一定以上の大きさの記録媒体を記録媒体収納部７２に収納する際は、給紙用開閉部３２を開いた状態とする。このような記録媒体が収納されると記録媒体の後端部側が画像形成装置本体１２からはみ出し、記録媒体のはみ出した部分が給紙用開閉部３２に重力方向下側から支持された状態となる。
【００２１】
搬送路４４は、給紙装置４２から転写装置６０に向けて記録媒体を搬送し、さらに排出部１４へ記録媒体を搬送するために用いられる。搬送路４４に沿って、記録媒体の搬送方向における上流側から順に、送出ロール７４、搬送ロール７６、レジストロール７８、転写装置６０、定着装置６４、及び排出ロール８０が設けられている。
【００２２】
搬送ロール７６は、記録媒体をレジストロール７８に向けて搬送する。
レジストロール７８は、転写装置６０に向けて搬送される記録媒体の先端部の転写装置６０側に向けての移動を一時的に停止させ、感光体ドラム５２に形成された現像剤像が転写装置６０の位置に到達するタイミングに合致するように、記録媒体の先端部の転写装置６０に向けての移動を再開させる。
排出ロール８０は、定着装置６４で現像剤像が定着された記録媒体を排出部１４に向けて搬送する。
【００２３】
排出部１４は、画像形成装置本体１２の上向きの面９２に設けられており、記録媒体が排出される方向である前方向（図２における左方向）に、面９２から延長自在である延長部９４を有する。
【００２４】
延長部９４は、面９２から記録媒体の排出方向に延長することができる第１の延長部材９６と、この第１の延長部材９６からさらに前方向に延長することができる第２の延長部材９８とを有する。
延長部９４は、画像が形成された記録媒体の面９２からはみ出した部分を重力方向下側から支持する。
【００２５】
原稿読取装置１６は、原稿読取装置本体１０２と、この原稿読取装置本体１０２に対して一端が回転可能に支持され他端が開閉自在に設けられた開閉体としての原稿搬送装置１０４とを有する。原稿読取装置１６は、排出部１４との間に空間Ｓを形成するように、画像形成装置本体１２の上方に配置されている。
原稿搬送装置１０４の前側（図２において左側、開閉する側の端部）には、操作者がこの原稿搬送装置１０４を開閉する際に用いる取っ手部１０６が形成されている。取っ手部１０６は、原稿搬送装置１０４の回転軸方向に対して、略中心に設けられている。取っ手部１０６には、操作者が指等を進入させる窪み部１０６ａが形成されている。
【００２６】
原稿読取装置１６は、ヒンジ１１０の回転軸１１２を中心に画像形成装置本体１２に対して回転するように、この画像形成装置本体１２に装着されている。
ヒンジ１１０は、第１の位置と、第２の位置との間で原稿読取装置１６が移動することができるように、原稿読取装置１６を画像形成装置本体１２に装着している。ここで、第１の位置とは、原稿読取装置１６が画像形成装置本体１２の上向きの面９２に下方から支持される位置である。また。第２の位置とは、原稿読取装置１６が第１の位置に配置されている場合と比較して、空間Ｓが拡張される位置である。
【００２７】
画像形成装置１０においては、原稿読取装置１６が第１の位置に配置された状態で操作者が空間Ｓに手を挿入して排出部１４に排出された記録媒体を取り出してもよいし、原稿読取装置１６を第２の位置に移動させ、空間Ｓを拡張した後に操作者が空間Ｓに手を挿入して排出部１４に排出された記録媒体を取り出してもよい。
例えば、ハガキ等の比較的小さい記録媒体を排出部１４から取り出す場合、空間Ｓの奥側まで手を挿入することを要するため、原稿読取装置１６が第１の位置にある状態で記録媒体を取り出すよりも、原稿読取装置１６を第２の位置に移動させ、空間Ｓを拡張した後に記録媒体を取り出す方が、記録媒体が取り出しやすい。
【００２８】
次に、原稿読取装置１６の詳細について説明する。
図３は、原稿読取装置１６の断面図を示す。図４は、原稿搬送装置１０４が開かれた状態の画像形成装置１０の斜視図を示す。
【００２９】
原稿読取装置１６は、原軸１３２を備えた例えば２つのヒンジ部１３４を有し、これらのヒンジ部１３４によって原稿読取装置本体１０２と原稿搬送装置１０４とが連結されている。
原稿搬送装置１０４は、原軸１３２を中心に回転するようにして、原稿読取装置本体１０２に対して開閉する。原稿搬送装置１０４が閉じられた状態では、図３に示すように原稿読取装置本体１０２のプラテン部材１３６が覆われた状態となる。
原稿読取装置１６には、原稿搬送装置１０４の開閉状態を検知する開閉検知手段として用いられる開閉センサ１３８が取り付けられている。
【００３０】
原稿読取装置本体１０２には、プラテン部材１３６に載せられた原稿に光を照射し、照射した光の原稿からの反射光に基づいて原稿を読み取る読取部１４０が装着されている。
【００３１】
原稿読取装置１６は、原稿搬送装置１０４により搬送中の原稿Ｄを流し読みする機能と、プラテン部材１３６上に載置された原稿Ｄを読み取る機能とを備えている。
【００３２】
読取部１４０は、フルレートキャリッジ１４２、ハーフレートキャリッジ１４４、レンズ１４６、及び光電変換素子１４８を有する。
【００３３】
フルレートキャリッジ１４２は、光源１５０と、第１ミラー１５２とを有し、図３に矢印で示すように原稿Ｄの副走査方向（図３において左側から右側）をスキャン方向として、原稿読取装置本体１０２内をスキャン方向に、フルストロークの移動をするようにされている。
光源１５０は、原稿の主走査方向に延びる例えばハロゲン又はキセノン等のランプであり、所定のスキャン幅が設定されている。
【００３４】
ハーフレートキャリッジ１４４は、第２ミラー１５４と第３ミラー１５６とを有し、原稿読取装置本体１０２内を副走査方向に半ストロークの移動をするようにされている。
【００３５】
レンズ１４６は、フルレートキャリッジ１４２及びハーフレートキャリッジ１４４の移動範囲の上方に設けられたプラテン部材１３６に置かれた原稿Ｄ、又は後述する搬送原稿読取位置１８２を通る原稿Ｄ等に対して光源１５０が照射した光の反射光を、第１ミラー１５２、第２ミラー１５４及び第３ミラー１５６を介して受け入れて結像させる。
【００３６】
光電変換素子１４８は、レンズ１４６による反射光の結像位置で反射光を受光し、例えばＲＧＢそれぞれのフィルタ（原色フィルタ）が設けられたフォトダイオードによって画素単位のＲＧＢそれぞれの光量に対応するアナログの電気信号を、処理回路に対して出力する例えば３ラインカラーＣＣＤである。
【００３７】
原稿搬送装置１０４は、読取前の原稿Ｄが載置（セット）される原稿台１６０と、原稿Ｄを搬送する原稿搬送路１６２と、画像を読み取った後の原稿Ｄが排出される排出台１６４とを有する。
【００３８】
原稿搬送路１６２は、主搬送部１６６と反転部１６８とを有する。主搬送部１６６はＵ字状に形成され、この主搬送部１６６に沿って原稿搬送方向上流側から順に、ピックアップロール１７０、フィードロール１７２、プリレジストロール１７４、レジストロール１７６、アウトロール１７８、及び排出ロール１８０が設けられている。
【００３９】
ピックアップロール１７０は、原稿送り時に下降し、原稿台１６０に載置された原稿Ｄをピックアップする。
フィードロール１７２は、ピックアップロール１７０から送られた原稿Ｄを捌き、最上部にある原稿Ｄのみを供給する。
プリレジストロール１７４は、フィードロール１７２から送られた原稿Ｄを一時停止させてループを形成し、斜行補正をするようになっている。
レジストロール１７６は、プリレジストロール１７４から送られた原稿Ｄを一時停止させ、読み取りタイミングをとるようにする。
原稿Ｄを排出する場合は、排出ロール１８０を正転させ、アウトロール１７８及び排出ロール１８０を介して排出台１６４へ排出する。
【００４０】
反転部１６８は、一端がアウトロール１７８と排出ロール１８０との間で主搬送部１６６に接続され、他端がプリレジストロール１７４の上流側で主搬送部１６６に接続されている。反転部１６８の一端付近には、反転ゲート１６２が設けられている。
原稿Ｄを反転させる場合は、原稿Ｄの後端が排出ロール１８０付近まで到達した段階で排出ロール１８０を逆転させ、反転ゲート１６２が下方に位置することで原稿Ｄを反転部１６８に導くようにする。
反転ゲート１６２は、原稿Ｄの押圧力で開いて反転ゲート１６２の自重で閉じるようにしてもよいし、反転ゲート１６２を開閉するアクチュエータを設けるようにしてもよい。
【００４１】
原稿搬送路１６２には、主搬送部１６６に沿って搬送中の原稿Ｄを流し読みする際に原稿Ｄを読み取る位置である搬送原稿読取位置１８２が設けられている。搬送原稿読取位置１８２は、レジストロール１７６とアウトロール１７８との間に設けられ、原稿搬送装置１０４により送られた原稿Ｄを読み取るようにされている。
【００４２】
搬送原稿読取位置１８２とプラテン部材１３６との間には、光源１５０が照射した光を反射する第１の基準白色板１８４が設けられている。第１の基準白色板１８４は、光を反射する反射面が基準となる白色にされており、例えば画像形成装置１０の電源投入時に、光源１５０が第１の基準白色板１８４に対して照射した光の反射光（初期の基準光量光）を、第１ミラー１５２、第２ミラー１５４、第３ミラー１５６及びレンズ１４６を介して光電変換素子１４８が受光できるようにされている。
【００４３】
図５は、原稿搬送装置１０４を開いた状態において、画像形成装置１０を上方から見た図を示す。
搬送原稿読取位置１８２の両端にはそれぞれ、光源１５０が照射した光を反射する第２の基準白色板２０２が設けられている。
第２の基準白色板２０２は、光を反射する反射面が基準となる白色にされており、例えば原稿読取装置１６が原稿Ｄを流し読みすると同時に、光源１５０が第２の基準白色板２０２に対して照射した光の反射光（読取時の基準光量光）を、第１ミラー１５２、第２ミラー１５４、第３ミラー１５６及びレンズ１４６を介して光電変換素子１４８が受光できるようにされている。
【００４４】
プラテン部材１３６及び搬送原稿読取位置１８２の外側には、これらからの光が外部に漏れるのを防止するように原稿搬送装置１０４によって被覆される被覆スペース（余地）２０４が形成されている。なお、被覆スペース２０４のうち、プラテン部材１３６及び搬送原稿読取位置１８２の前側（図５において下側）に形成されている部分を開閉側被覆スペース２０４ａとする。
【００４５】
図６は、原稿搬送装置１０４の原稿読取装置本体１０２と接する側の面を示す。
原稿搬送装置１０４の前側（図６において上側）には、閉じられた状態において開閉側被覆スペース２０４ａと接する開閉側被覆部２１４ａが形成されている。本実施形態において、開閉側被覆部２１４ａの前後方向の長さは、開閉側被覆スペース２０４ａの前後方向の長さよりも短くなっている。
原稿搬送装置１０４が閉じられた状態において、取っ手部１０６は、前側被覆スペース２０４ａの上方に配置されるようになっている。
【００４６】
次に、取っ手部１０６の詳細について説明する。
図７は、原稿搬送装置１０４の長手方向に対する各位置における取っ手部１０６の側面断面図を示す。図７中のａは取っ手部１０６の長手方向の端部近傍の位置、ｂはａよりも中央寄りの位置、ｃは中央の位置、それぞれにおける側面断面図を示す。
【００４７】
取っ手部１０６には、原稿搬送装置１０４が原稿読取装置本体１０２に対して閉まった状態において、この原稿読取装置本体１０２に近づくほどこの原稿搬送装置１０４の内側に向かうように傾斜した形態の窪み部１０６ａが形成されている。また、窪み部１０６ａは、原稿搬送装置１０４の回転軸方向に対して中央に行くほど、この原稿搬送装置１０４の内側に向かって傾斜する形態となっている。窪み部１０６ａがこのような形態に形成されている場合、本構成を有さない場合と比較して、取っ手部１０６は、操作者の指等と接する範囲が増大する。
【００４８】
本実施形態においては、取っ手部１０６は、前後方向（図２における水平方向）に対して、原稿読取装置本体１０２の前側被覆スペース２０４ａから突出しないように形成されている。すなわち、原稿搬送装置１０４の上面の端部１０４ａが前側被覆スペース２０４ａよりも前側とならないように形成されている。
取っ手部１０６がこのように形成されている場合、本構成を有さない場合と比較して、画像形成装置１０の前側であって取っ手部１０６の下方に設けられた装置（例えば操作部１８）の操作性の低下が抑制される。
【００４９】
図８は、原稿搬送装置１０４の厚み方向（図２において上下方向）に対しての各位置における取っ手部１０６の上面断面図を示す。
図８中のｄは取っ手部１０６の厚み方向の下端近傍の位置、ｅは中央の位置、ｆは上端近傍の位置、それぞれにおける上面断面図を示す。
【００５０】
取っ手部１０６は、原稿装置１０４の長手方向に対して略中央に形成されている。取っ手部１０６がこのように形成されている場合、本構成を有さない場合と比較して、この取っ手部１０６を用いて開閉動作を行う際の付加が原稿搬送装置１０４（あるいは２つのヒンジ部１３４）全体へ均等にかかる。
【００５１】
取っ手部１０６は、原稿搬送装置１０４の長手方向に対して、端部から中央に向かって内向きに曲線状に傾斜した形態となっている。取っ手部１０６は、原稿搬送装置１０４の長手方向に対して左右対称に、中央が最も内側に窪んだ形態となっている。
【００５２】
上記においては、取っ手部１０６は、厚み方向の下端から上端にかけて窪みが浅くなる形態について説明したが、これに限らず、厚み方向の中央が最も窪んだ形態とするようにしてもよい。すなわち、原稿搬送装置１０４の長手方向及び厚み方向に対して、取っ手部１０６の中心に向かって内側に窪んだ形態（曲面が奥行き方向に対角線状になっている形態）とするようにしてもよい。
【００５３】
次に、取っ手部１０６の作用について説明する。
図９（ａ）は、本実施形態における取っ手部１０６を示し、図９（ｂ）は、比較例として取っ手部３００を示す。取っ手部３００は、曲線状の傾斜を有さず、原稿搬送装置１０４の上面の端部から下面の端部までの距離Ｌ（原稿搬送装置１０４の長手方向の中央における窪みの奥行き）は、取っ手部１０６と同一のものである。
【００５４】
図９（ａ）に示すように、取っ手部１０６は、窪み部１０６ａにより操作者の指等と接触し易く、原稿搬送装置１０４の開閉方向に追随して、操作者の力が加わり易くなっている。
これに対し、図９（ｂ）に示すように、取っ手部３００のように、曲線状の傾斜を有さず、直線状に凹んだ形態となっている場合、操作者の指等と接しにくく、さらには、原稿搬送装置１０４の開閉方向に対して、操作者の力が加わりにくい。
【００５５】
このように、取っ手部１０６では、この形態の窪み部１０６ａを有さないものと比較して、距離Ｌの長さ（窪みの奥行き）が低減される。
【００５６】
上記実施形態においては、取っ手部１０６が形成された開閉体として自動搬送装置１０４を用いた構成について説明したが、これに限らず、プラテン部材１３６上に載置された原稿Ｄを挟んで保持する原稿保持体等について適用するようにしてもよい。
【００５７】
なお、原稿読取装置は、原稿読取装置本体と、原稿読取装置本体に対して一端が回転可能に支持され他端が開閉自在に設けられた開閉体と、を有し、開閉体の他端には、当該開閉体が原稿読取装置本体に対して閉まった状態で原稿読取装置本体に近づくほど開閉体の内側に向かうように傾斜した窪み部を有する取っ手部が設けられているようにしてもよい。
【００５８】
また、取っ手部は、水平方向に対して原稿読取装置本体の前縁よりも内側に形成されていてもよい。
【００５９】
また、窪み部は、開閉体の回転軸方向に対して中央に行くほど前記開閉体の内側に向かって傾斜する形態を有するようにしてもよい。
【００６０】
また、取っ手部は、開閉体の回転軸方向に対して略中央に形成されているようにしてもよい。
【００６１】
また、開閉体は、原稿を搬送する原稿搬送装置とすることもできる。
【００６２】
また、画像形成装置として、原稿読取装置と、原稿読取装置が読み取った画像情報に基づいて画像を形成する画像形成部と、を有し、原稿読取装置は、原稿読取装置本体と、原稿読取装置本体に対して一端が回転可能に支持され他端が開閉自在に設けられた開閉体と、を有し、開閉体の他端には、当該開閉体が原稿読取装置本体に対して閉まった状態で原稿読取装置本体に近づくほど開閉体の内側に向かうように傾斜した窪み部を有する取っ手部が設けられているようにすることもできる。
【符号の説明】
【００６３】
１０    画像形成装置
１２    画像形成装置本体
１４    排出部
１６    原稿読取装置
１８    操作部
３２    給紙用開閉部
４０    像形成部
４２    給紙装置
４４    搬送路
７２    記録媒体収納部
１０２    原稿読取装置本体
１０４    原稿搬送装置
１０６    取っ手部
１３６    プラテン部材
１４０    読取部
１６０    原稿台
１６２    原稿搬送路
１６２    反転ゲート
１６２    原稿搬送路
１６４    排出台
１６６    主搬送部
１６８    反転部
１８２    搬送原稿読取位置
２０４    被覆スペース
２０４ａ    前側被覆スペース
２１４ａ    前側被覆部
【図１】
2015065667.tif 000003
【図２】
2015065667.tif 000004
【図３】
2015065667.tif 000005
【図４】
2015065667.tif 000006
【図５】
2015065667.tif 000007
【図６】
2015065667.tif 000008
【図７】
2015065667.tif 000009
【図８】
2015065667.tif 000010
【図９】
2015065667.tif 000011